(57)【要約】【課題】遊技関連情報を効率的に公開する。【解決手段】システムは、複数の遊技場内の各コンピュータに蓄積され、少なくとも項目名及び項目配列順序において他と異なる遊技データに基づいて、必要項目名のデータを抽出した整形遊技データを作成する各遊技場内の複数のデータ抽出装置と、遊技関連情報処理装置とを備える。この処理装置は、データ抽出装置から受信した整形遊技データと予め定めた集計定義とに基づいて遊技場毎に集計処理を行い、集計処理された台番号、機種名特定情報及び遊技結果情報を含む集計結果の遊技データを共通フォーマットの遊技データテーブルに格納し、複数の遊技機に関する機種名特定情報及び機種名を含む遊技機データを予め格納した遊技機データテーブルを構成する。閲覧要求により指定された遊技場毎の台番号と機種名とを機種名特定情報を介して対応付け、遊技結果情報を更に対応付けた遊技関連情報を閲覧者利用端末に公開する。【選択図】図１
2015119840.tif 000002
【特許請求の範囲】
【請求項１】
複数の遊技場内の各データ集計コンピュータに蓄積され、少なくとも項目名及び項目配列順序において他と異なるとともに遊技機台番号、機種名特定情報及び遊技結果情報を含む遊技データに基づいて、予め定められた必要項目名のデータを抽出した整形遊技データを作成する各遊技場内に分散配置の複数のデータ抽出装置と；
前記複数のデータ抽出装置のそれぞれから受信した前記整形遊技データと予め定めた集計定義とに基づいて遊技場毎に集計処理を行い、集計処理された遊技機台番号、機種名特定情報及び遊技結果情報を含む集計結果の遊技データを共通フォーマットの遊技データテーブルに格納する手段と、
集中管理下の前記複数の遊技場に設置された複数の遊技機に関する遊技機データであって、機種名特定情報及び遊技機の機種名を含む遊技機データを予め格納した遊技機データテーブルを構成する手段と、
閲覧要求により指定された遊技場毎の前記遊技データテーブルにおける前記遊技機台番号と前記遊技機データテーブルにおける前記遊技機の機種名とを前記遊技データテーブル及び前記遊技機データテーブルにおける前記機種名特定情報を介して対応付け、対応付けた前記遊技場毎の前記遊技機台番号及び前記遊技機の機種名に前記遊技データテーブルにおける前記集計結果の遊技データとしての前記遊技結果情報を更に対応付けた遊技関連情報を得る手段と、を含む遊技関連情報処理装置と；
を備える遊技関連情報処理システム。
【請求項２】
前記遊技関連情報処理装置は、表示サイトを介して閲覧者利用端末に前記遊技関連情報を公開するように制御する手段を更に含み、
前記表示サイトは、前記遊技関連情報処理装置が提供するウェブページである、
請求項１記載の遊技関連情報処理システム。
【請求項３】
前記遊技関連情報処理装置とは個別の情報処理装置が、表示サイトを介して閲覧者利用端末に前記遊技関連情報を公開するように制御する手段を含み、
前記表示サイトは、前記個別の情報処理装置が提供するウェブページである、
請求項１記載の遊技関連情報処理システム。
【請求項４】
前記遊技データ及び前記整形遊技データはＣＳＶを含む区切りテキストデータである、請求項１、２または３記載の遊技関連情報処理システム。
【請求項５】
複数の遊技場内の各データ集計コンピュータに蓄積され、少なくとも項目名及び項目配列順序において他と異なるとともに遊技機台番号、機種名特定情報及び遊技結果情報を含む遊技データに基づいて、予め定められた必要項目名のデータを抽出することにより作成した整形遊技データを各遊技場内に分散配置の複数のデータ抽出装置のそれぞれから受信するステップと；
前記複数のデータ抽出装置のそれぞれから受信した前記整形遊技データと予め定めた集計定義とに基づいて遊技場毎に集計処理を行い、集計処理された遊技機台番号、機種名特定情報及び遊技結果情報を含む集計結果の遊技データを共通フォーマットの遊技データテーブルに格納するステップと；
集中管理下の前記複数の遊技場に設置された複数の遊技機に関する遊技機データであって、機種名特定情報及び遊技機の機種名を含む遊技機データを予め格納した遊技機データテーブルを構成するステップと；
閲覧要求により指定された遊技場毎の前記遊技データテーブルにおける前記遊技機台番号と前記遊技機データテーブルにおける前記遊技機の機種名とを前記遊技データテーブル及び前記遊技機データテーブルにおける前記機種名特定情報を介して対応付け、対応付けた前記遊技場毎の前記遊技機台番号及び前記遊技機の機種名に前記遊技データテーブルに
おける前記集計結果の遊技データとしての前記遊技結果情報を更に対応付けた遊技関連情報を得るステップと；
を遊技関連情報処理装置が実行する遊技関連情報処理方法。
【請求項６】
複数の遊技場内の各データ集計コンピュータに蓄積され、少なくとも項目名及び項目配列順序において他と異なるとともに遊技機台番号、機種名特定情報及び遊技結果情報を含む遊技データに基づいて、予め定められた必要項目名のデータを抽出することにより作成した整形遊技データを各遊技場内に分散配置の複数のデータ抽出装置のそれぞれから受信するステップと；
前記複数のデータ抽出装置のそれぞれから受信した前記整形遊技データと予め定めた集計定義とに基づいて遊技場毎に集計処理を行い、集計処理された遊技機台番号、機種名特定情報及び遊技結果情報を含む集計結果の遊技データを共通フォーマットの遊技データテーブルに格納するステップと；
集中管理下の前記複数の遊技場に設置された複数の遊技機に関する遊技機データであって、機種名特定情報及び遊技機の機種名を含む遊技機データを予め格納した遊技機データテーブルを構成するステップと；
閲覧要求により指定された遊技場毎の前記遊技データテーブルにおける前記遊技機台番号と前記遊技機データテーブルにおける前記遊技機の機種名とを前記遊技データテーブル及び前記遊技機データテーブルにおける前記機種名特定情報を介して対応付け、対応付けた前記遊技場毎の前記遊技機台番号及び前記遊技機の機種名に前記遊技データテーブルにおける前記集計結果の遊技データとしての前記遊技結果情報を更に対応付けた遊技関連情報を得るステップと；
を遊技関連情報処理装置に実行させるプログラム。
【請求項７】
複数の遊技場内の各データ集計コンピュータに蓄積され、少なくとも項目名及び項目配列順序において他と異なるとともに遊技機台番号、機種名特定情報及び遊技結果情報を含む遊技データに基づいて、予め定められた必要項目名のデータを抽出することにより作成した整形遊技データを各遊技場内に分散配置の複数のデータ抽出装置のそれぞれから受信する手段と；
前記複数のデータ抽出装置のそれぞれから受信した前記整形遊技データと予め定めた集計定義とに基づいて遊技場毎に集計処理を行い、集計処理された遊技機台番号、機種名特定情報及び遊技結果情報を含む集計結果の遊技データを共通フォーマットの遊技データテーブルに格納する手段と；
集中管理下の前記複数の遊技場に設置された複数の遊技機に関する遊技機データであって、機種名特定情報及び遊技機の機種名を含む遊技機データを予め格納した遊技機データテーブルを構成する手段と；
閲覧要求により指定された遊技場毎の前記遊技データテーブルにおける前記遊技機台番号と前記遊技機データテーブルにおける前記遊技機の機種名とを前記遊技データテーブル及び前記遊技機データテーブルにおける前記機種名特定情報を介して対応付け、対応付けた前記遊技場毎の前記遊技機台番号及び前記遊技機の機種名に前記遊技データテーブルにおける前記集計結果の遊技データとしての前記遊技結果情報を更に対応付けた遊技関連情報を得る手段と；
表示サイトを介して閲覧者利用端末に前記遊技関連情報を公開するように制御する手段と；
を備える遊技関連情報処理装置。
【請求項８】
複数の遊技場内の各データ集計コンピュータに蓄積され、少なくとも項目名及び項目配列順序において他と異なるとともに遊技機台番号、機種名特定情報及び遊技結果情報を含む遊技データに基づいて、予め定められた必要項目名のデータを抽出することにより作成した整形遊技データを各遊技場内に分散配置の複数のデータ抽出装置のそれぞれから受信
するステップと；
前記複数のデータ抽出装置のそれぞれから受信した前記整形遊技データと予め定めた集計定義とに基づいて遊技場毎に集計処理を行い、集計処理された遊技機台番号、機種名特定情報及び遊技結果情報を含む集計結果の遊技データを共通フォーマットの遊技データテーブルに格納するステップと；
集中管理下の前記複数の遊技場に設置された複数の遊技機に関する遊技機データであって、機種名特定情報及び遊技機の機種名を含む遊技機データを予め格納した遊技機データテーブルを構成するステップと；
閲覧要求により指定された遊技場毎の前記遊技データテーブルにおける前記遊技機台番号と前記遊技機データテーブルにおける前記遊技機の機種名とを前記遊技データテーブル及び前記遊技機データテーブルにおける前記機種名特定情報を介して対応付け、対応付けた前記遊技場毎の前記遊技機台番号及び前記遊技機の機種名に前記遊技データテーブルにおける前記集計結果の遊技データとしての前記遊技結果情報を更に対応付けた遊技関連情報を得るステップと；
表示サイトを介して閲覧者利用端末に前記遊技関連情報を公開するように制御するステップと；
を遊技関連情報処理装置が実行する遊技関連情報処理方法。
【請求項９】
複数の遊技場内の各データ集計コンピュータに蓄積され、少なくとも項目名及び項目配列順序において他と異なるとともに遊技機台番号、機種名特定情報及び遊技結果情報を含む遊技データに基づいて、予め定められた必要項目名のデータを抽出することにより作成した整形遊技データを各遊技場内に分散配置の複数のデータ抽出装置のそれぞれから受信するステップと；
前記複数のデータ抽出装置のそれぞれから受信した前記整形遊技データと予め定めた集計定義とに基づいて遊技場毎に集計処理を行い、集計処理された遊技機台番号、機種名特定情報及び遊技結果情報を含む集計結果の遊技データを共通フォーマットの遊技データテーブルに格納するステップと；
集中管理下の前記複数の遊技場に設置された複数の遊技機に関する遊技機データであって、機種名特定情報及び遊技機の機種名を含む遊技機データを予め格納した遊技機データテーブルを構成するステップと；
閲覧要求により指定された遊技場毎の前記遊技データテーブルにおける前記遊技機台番号と前記遊技機データテーブルにおける前記遊技機の機種名とを前記遊技データテーブル及び前記遊技機データテーブルにおける前記機種名特定情報を介して対応付け、対応付けた前記遊技場毎の前記遊技機台番号及び前記遊技機の機種名に前記遊技データテーブルにおける前記集計結果の遊技データとしての前記遊技結果情報を更に対応付けた遊技関連情報を得るステップと；
表示サイトを介して閲覧者利用端末に前記遊技関連情報を公開するように制御するステップと；
を遊技関連情報処理装置に実行させるプログラム。
【請求項１０】
複数の遊技場内の各データ集計コンピュータに蓄積され、少なくとも項目名及び項目配列順序において他と異なるとともに遊技機台番号、機種名特定情報及び遊技結果情報を含む遊技データに基づいて、予め定められた必要項目名のデータを抽出した整形遊技データを作成する各遊技場内に分散配置の複数のデータ抽出装置と；
前記複数のデータ抽出装置のそれぞれから受信した前記整形遊技データと予め定めた集計定義とに基づいて遊技場毎に集計処理を行い、集計処理された遊技機台番号、機種名特定情報及び遊技結果情報を含む集計結果の遊技データを共通フォーマットの遊技データテーブルに格納する手段と、
集中管理下の前記複数の遊技場に設置された複数の遊技機に関する遊技機データであって、機種名特定情報及び遊技機の機種名を含む遊技機データを予め格納した遊技機データ
テーブルを構成する手段と、を含む第１の遊技関連情報処理装置と；
前記遊技データテーブルとデータ同期状態のプロキシ遊技データテーブルを有する第２の遊技関連情報処理装置と；
前記遊技機データテーブルとデータ同期状態のプロキシ遊技機データテーブルを有する第３の遊技関連情報処理装置とを備え；
前記第２の遊技関連情報処理装置は、閲覧要求に応じた前記第３の遊技関連情報処理装置からのＡＰＩリクエストに対し、前記プロキシ遊技データテーブルから遊技場毎の前記集計結果の遊技データを読み出し、読み出した遊技場毎の前記集計結果の遊技データを前記第３の遊技関連情報処理装置に送信し、
前記第３の遊技関連情報処理装置は、前記第２の遊技関連情報処理装置から受信した遊技場毎の前記集計結果の遊技データにおける前記遊技機台番号と閲覧要求により指定された前記プロキシ遊技機データテーブルにおける前記遊技機の機種名とを前記受信した遊技場毎の前記集計結果の遊技データ及び前記プロキシ遊技機データテーブルにおける前記機種名特定情報を介して対応付け、対応付けた前記遊技場毎の前記遊技機台番号及び前記遊技機の機種名に前記受信した遊技場毎の前記集計結果の遊技データにおける前記遊技結果情報を更に対応付けた遊技関連情報を表示サイトを介して閲覧者利用端末に公開するように制御する、
遊技関連情報処理システム。
【請求項１１】
複数の遊技場内の各データ集計コンピュータに蓄積され、少なくとも項目名及び項目配列順序において他と異なるとともに遊技機台番号、機種名特定情報及び遊技結果情報を含む遊技データに基づいて、予め定められた必要項目名のデータを抽出することにより作成した整形遊技データを各遊技場内に分散配置の複数のデータ抽出装置のそれぞれから受信するステップと、
前記複数のデータ抽出装置のそれぞれから受信した前記整形遊技データと予め定めた集計定義とに基づいて遊技場毎に集計処理を行い、集計処理された遊技機台番号、機種名特定情報及び遊技結果情報を含む集計結果の遊技データを共通フォーマットの遊技データテーブルに格納するステップと、
集中管理下の前記複数の遊技場に設置された複数の遊技機に関する遊技機データであって、機種名特定情報及び遊技機の機種名を含む遊技機データを予め格納した遊技機データテーブルを構成するステップと、を第１の遊技関連情報処理装置が実行し；
前記遊技データテーブルとデータ同期状態のプロキシ遊技データテーブルを第２の遊技関連情報処理装置が構成し；
前記遊技機データテーブルとデータ同期状態のプロキシ遊技機データテーブルを第３の遊技関連情報処理装置が構成し；
前記第２の遊技関連情報処理装置は、閲覧要求に応じた前記第３の遊技関連情報処理装置からのＡＰＩリクエストに対し、前記プロキシ遊技データテーブルから遊技場毎の前記集計結果の遊技データを読み出し、読み出した遊技場毎の前記集計結果の遊技データを前記第３の遊技関連情報処理装置に送信し；
前記第３の遊技関連情報処理装置は、前記第２の遊技関連情報処理装置から受信した遊技場毎の前記集計結果の遊技データにおける前記遊技機台番号と閲覧要求により指定された前記プロキシ遊技機データテーブルにおける前記遊技機の機種名とを前記受信した遊技場毎の前記集計結果の遊技データ及び前記プロキシ遊技機データテーブルにおける前記機種名特定情報を介して対応付け、対応付けた前記遊技場毎の前記遊技機台番号及び前記遊技機の機種名に前記受信した遊技場毎の前記集計結果の遊技データにおける前記遊技結果情報を更に対応付けた遊技関連情報を表示サイトを介して閲覧者利用端末に公開するように制御する；
遊技関連情報処理方法。
【発明の詳細な説明】
【技術分野】
【０００１】
本発明は、遊技関連情報処理システムに関し、更には遊技関連情報処理装置、遊技関連情報処理方法、及びプログラムに関する。
【背景技術】
【０００２】
複数の遊技場（例えば、パチンコ店、スロット店、パチンコ・スロット複合店）内に配置された各データ集計コンピュータ（ホールコンピュータと記載することもある）のデータベースには、遊技機台番号、機種名特定情報及び遊技結果情報などを含む遊技データがリアルタイムに蓄積される。
【０００３】
しかし、各遊技場内のデータ集計コンピュータは、コンピュータメーカにより仕様（型式）が異なると、対応のデータベースに蓄積される遊技データについてのレコードの項目名、項目配列順序及び項目数などに差異がある。
【先行技術文献】
【非特許文献】
【０００４】
【非特許文献１】ＲＦＣ４１８０  http://www.ietf.org/rfc/rfc4180
【発明の概要】
【発明が解決しようとする課題】
【０００５】
したがって、遊技者を含む閲覧者が利用する閲覧者利用端末に大当りの回数などの過去の遊技結果を反映した遊技結果情報を含む遊技関連情報を公開するサービスを提供するときには、膨大な開発費及び時間を浪費することを免れない。
【０００６】
課題は、遊技場毎の遊技機台番号と遊技機の機種名と遊技結果情報とを対応付けた遊技関連情報を閲覧者利用端末に効率的に公開することを可能にする技術を提供することにある。
【課題を解決するための手段】
【０００７】
上記課題を解決するために、一態様の遊技関連情報処理システムは、複数の遊技場内の各データ集計コンピュータに蓄積され、少なくとも項目名及び項目配列順序において他と異なるとともに遊技機台番号、機種名特定情報及び遊技結果情報を含む遊技データに基づいて、予め定められた必要項目名のデータを抽出した整形遊技データを作成する各遊技場内に分散配置の複数のデータ抽出装置と、遊技関連情報処理装置とを備える。
【０００８】
この遊技関連情報処理装置は、前記複数のデータ抽出装置のそれぞれから受信した前記整形遊技データと予め定めた集計定義とに基づいて遊技場毎に集計処理を行い、集計処理された遊技機台番号、機種名特定情報及び遊技結果情報を含む集計結果の遊技データを共通フォーマットの遊技データテーブルに格納する手段と、集中管理下の前記複数の遊技場に設置された複数の遊技機に関する遊技機データであって、機種名特定情報及び遊技機の機種名を含む遊技機データを予め格納した遊技機データテーブルを構成する手段と、閲覧要求により指定された遊技場毎の前記遊技データテーブルにおける前記遊技機台番号と前記遊技機データテーブルにおける前記遊技機の機種名とを前記遊技データテーブル及び前記遊技機データテーブルにおける前記機種名特定情報を介して対応付け、対応付けた前記遊技場毎の前記遊技機台番号及び前記遊技機の機種名に前記遊技データテーブルにおける前記集計結果の遊技データとしての前記遊技結果情報を更に対応付けた遊技関連情報を得る手段と、表示サイトを介して閲覧者利用端末に前記遊技関連情報を公開するように制御
する手段とを含む。
【０００９】
他の態様の遊技関連情報処理システムは、複数の遊技場内の各データ集計コンピュータに蓄積され、少なくとも項目名及び項目配列順序において他と異なるとともに遊技機台番号、機種名特定情報及び遊技結果情報を含む遊技データに基づいて、予め定められた必要項目名のデータを抽出した整形遊技データを作成する各遊技場内に分散配置の複数のデータ抽出装置を備える。
【００１０】
この他の態様の遊技関連情報処理システムは、前記複数のデータ抽出装置のそれぞれから受信した前記整形遊技データと予め定めた集計定義とに基づいて遊技場毎に集計処理を行い、集計処理された遊技機台番号、機種名特定情報及び遊技結果情報を含む集計結果の遊技データを共通フォーマットの遊技データテーブルに格納する手段と、集中管理下の前記複数の遊技場に設置された複数の遊技機に関する遊技機データであって、機種名特定情報及び遊技機の機種名を含む遊技機データを予め格納した遊技機データテーブルを構成する手段とを含む第１の遊技関連情報処理装置と；前記遊技データテーブルとデータ同期状態のプロキシ遊技データテーブルを有する第２の遊技関連情報処理装置と；前記遊技機データテーブルとデータ同期状態のプロキシ遊技機データテーブルを有する第３の遊技関連情報処理装置とを備え；前記第２の遊技関連情報処理装置は、閲覧要求に応じた前記第３の遊技関連情報処理装置からのＡＰＩリクエストに対し、前記プロキシ遊技データテーブルから遊技場毎の前記集計結果の遊技データを読み出し、読み出した遊技場毎の前記集計結果の遊技データを前記第３の遊技関連情報処理装置に送信し、前記第３の遊技関連情報処理装置は、前記第２の遊技関連情報処理装置から受信した遊技場毎の前記集計結果の遊技データにおける前記遊技機台番号と閲覧要求により指定された前記プロキシ遊技機データテーブルにおける前記遊技機の機種名とを前記受信した遊技場毎の前記集計結果の遊技データ及び前記プロキシ遊技機データテーブルにおける前記機種名特定情報を介して対応付け、対応付けた前記遊技場毎の前記遊技機台番号及び前記遊技機の機種名に前記受信した遊技場毎の前記集計結果の遊技データにおける前記遊技結果情報を更に対応付けた遊技関連情報を表示サイトを介して閲覧者利用端末に公開するように制御する。
【発明の効果】
【００１１】
開示した遊技関連情報処理システムによれば、遊技場毎の遊技機台番号と遊技機の機種名と遊技結果情報とを対応付けた遊技関連情報を閲覧者利用端末に効率的に公開することができる。
【００１２】
他の課題、特徴及び利点は、図面及び特許請求の範囲とともに取り上げられる際に、以下に記載される発明を実施するための形態を読むことにより明らかになるであろう。
【図面の簡単な説明】
【００１３】
【図１】第１の実施の形態の遊技関連情報処理システムの構成を示すブロック図。
【図２】ホールコンピュータＡの遊技データテーブルＴＢ（Ａ）及び整形済ＣＳＶ形式の整形遊技データＤＴ２（Ａ）を説明するための図。
【図３】ホールコンピュータＢの遊技データテーブルＴＢ（Ｂ）及び整形済ＣＳＶ形式の整形遊技データＤＴ２（Ｂ）を説明するための図。
【図４】整形済ＣＳＶ形式の整形遊技データＤＴ２（Ｂ）を集計して遊技データテーブルに格納する処理を説明するための図。
【図５】遊技データテーブルへの集計処理を説明するための図。
【図６】遊技機データテーブルを説明するための図。
【図７】遊技機台番号と遊技機の機種名との対応付けを説明するための図。
【図８】遊技関連情報の表示例を示す図。
【図９】遊技関連情報の表示例を示す図。
【図１０】遊技関連情報の表示例を示す図。
【図１１】第２の実施の形態の遊技関連情報処理システムの構成を示すブロック図。
【図１２】第２の実施の形態の遊技関連情報処理システムにおける遊技関連情報処理を説明するための図。
【図１３】第２の実施の形態の遊技関連情報処理システムにおける遊技関連情報処理を説明するための図。
【発明を実施するための形態】
【００１４】
以下、添付図面を参照して、さらに詳細に説明する。図面には好ましい実施形態が示されている。しかし、多くの異なる形態で実施されることが可能であり、本明細書に記載される実施形態に限定されない。
【００１５】
［第１の実施の形態］
［遊技関連情報処理システム］
第１の実施の形態におけるシステム構成を示す図１を参照すると、遊技関連情報処理システム１は、データベース２として遊技データテーブル２１及び遊技機データテーブル２２を含む遊技関連情報処理装置３と、複数の遊技場（ホールと記載することもある）ＰＬ内に分散配置された複数のデータ抽出装置４とを備える。ここでは、簡潔化のために、遊技場ＰＬは１つだけを図示している。
【００１６】
遊技関連情報処理装置３は、インターネットなどの通信ネットワーク５を通して、複数のデータ抽出装置４に接続されている。遊技関連情報処理装置３は、通信ネットワーク５を通して、契約ユーザ（遊技者を含む閲覧者）が利用する閲覧者利用端末ＶＷであるパーソナルコンピュータＰＣまたは携帯端末ＭＴなどに直接または間接的に遊技関連情報を提供する。なお、以下の説明では、不明確にならない限り通信ネットワーク５の介在を省略する。
【００１７】
［データ抽出装置］
図１に示す遊技関連情報処理システム１において、各遊技場（例えば、パチンコ店、スロット店、パチンコ・スロット複合店）ＰＬ内に分散配置されたデータ抽出装置４は、各遊技場ＰＬ内のデータ集計コンピュータ（ホールコンピュータと記載することもある）６のデータベースにリアルタイムに蓄積され、少なくとも項目名及び項目配列順序において他と異なるとともに、遊技機台番号、機種名特定情報及び遊技結果情報を含む遊技データＤＴ１に基づいて、予め定められた必要項目名のデータを抽出した整形遊技データＤＴ２を作成する。
【００１８】
遊技データＤＴ１及び整形遊技データＤＴ２に含まれる遊技機台番号（単に、台番号と記載することもある）は、複数の遊技機ＰＭの各設置番号、つまり遊技場ＰＬに設置された複数の遊技機ＰＭの各個体整理番号である。機種名特定情報は、複数の遊技機ＰＭの機種名（実際の機種名）を特定するためのデータであり、例えば、機種コードを含む。また、遊技結果情報は、大当りの回数などの過去の遊技結果を反映したデータである。
【００１９】
ここでは、各データ抽出装置４は、対応のデータ集計コンピュータ６から受信したＣＳＶ形式の遊技データＤＴ１に基づいて、整形遊技データＤＴ２として、転送用の整形済ＣＳＶデータ（ＣＳＶファイル）を作成し、遊技関連情報処理装置３に任意の間隔で自主的に送信する。
【００２０】
詳述すると、各遊技場ＰＬ内のデータ集計コンピュータ６は、コンピュータメーカにより仕様（型式）が異なると、対応のデータベースである遊技データテーブルＴＢ（図２（Ａ），図３（Ａ）参照）に格納する遊技データＤＴ１についてのレコードの項目名、項目
配列順序、及び項目数などに差異がある。
【００２１】
各遊技場ＰＬ内に分散配置されたデータ抽出装置４は、対応のデータ集計コンピュータ６から受信したＣＳＶ形式の遊技データＤＴ１に対するデータ抽出処理機能により、この差異救済の一助を担う。
【００２２】
つまり、データ抽出装置４は、遊技関連情報処理装置３における共通フォーマットデータの作成のために、他と異なるＣＳＶ形式の遊技データＤＴ１から不必要な項目のデータをマージし、表示するために必要な項目のデータ（データ列）のみを抽出する。これにより、データ抽出装置４は、整形遊技データＤＴ２として、整形済ＣＳＶデータを作成し、遊技関連情報処理装置３に送信する。
【００２３】
なお、ＣＳＶ（Comma-Separated Values）は、複数のフィールド（項目）をカンマ「,
」で区切ったテキストデータ（テキストファイル）であり、「カンマ区切り」と称される。また、タブ区切りされたＴＳＶ（Tab-Separated Values）及び半角スペース区切りされたＳＳＶ（Space-Separated Values）などがある。したがって、ＣＳＶ形式の遊技データＤＴ１及び整形済ＣＳＶ形式の整形遊技データＤＴ２は他の区切りテキストデータであってもよい。なお、ＣＳＶの詳細については、例えば、国際標準ＲＦＣ４１８０を参照可能である。
【００２４】
図２（Ａ）には、第１の遊技場ＰＬ（＃１）内のデータ集計コンピュータ６であるホールコンピュータＡにおける遊技データテーブルＴＢ（Ａ）が例示されている。この遊技データテーブルＴＢ（Ａ）のヘッダ行には、格納される遊技データ（厳密には、遊技関連データ）の項目名（具体的には、種別（パチンコ機／スロット機）、台番号、島番号、・・・打込数、・・・機種名称、機種コード）が数十個分記載されている。また、各レコードには、項目名に対応する具体的データが格納されている。ここで、機種名称は遊技場ＰＬ（＃１）において独自に付与された名称である。
【００２５】
さらに、図３（Ａ）には、第２の遊技場ＰＬ（＃２）内のデータ集計コンピュータ６であるホールコンピュータＢにおける遊技データテーブルＴＢ（Ｂ）が例示されている。この遊技データテーブルＴＢ（Ｂ）のヘッダ行には、格納される遊技データの項目名（具体的には、年月日、台番号、種別（パチンコ機／スロット機）、機種名称、総打込数玉数、・・・機種コード）が数十個分記載されている。また、各レコードには、項目名に対応する具体的データが格納されている。ここで、機種名称は遊技場ＰＬ（＃２）において独自に付与された名称である。
【００２６】
図２（Ａ）及び図３（Ａ）に例示されるように、遊技データテーブルＴＢ（Ａ），ＴＢ（Ｂ）に格納される遊技データＤＴ１は、項目名、項目配列順序、及び項目数などに差異がある。
【００２７】
ホールコンピュータＡから遊技データテーブルＴＢ（Ａ）に対応したＣＳＶ形式の遊技データＤＴ１（Ａ）を受信するデータ抽出装置４（Ａ）は、ホールコンピュータＡの型式に応じて、ＣＳＶ形式の遊技データＤＴ１（Ａ）から抽出するべきフィールド（カラム）を予め設定されているので、不必要な項目のデータをマージし、表示するために必要な項目のデータのみを抽出することにより、整形済ＣＳＶ形式の整形遊技データＤＴ２（Ａ）を作成する（図２（Ａ），（Ｂ）参照）。
【００２８】
図２（Ｂ）は、この結果作成された整形済ＣＳＶ形式の整形遊技データＤＴ２（Ａ）を便宜上テーブル形式で示している。しかし、実際の整形済ＣＳＶ形式の整形遊技データＤＴ２（Ａ）はカンマ区切りのテキストデータの形態である。この整形遊技データＤＴ２（
Ａ）は、具体的には、種別（パチンコ機／スロット機）、台番号、打込数、出玉数、特賞回数、スタート回数、大当りＡ、大当りＢ、確変時スタート回数、大当りＣ、及び機種コードの１１項目を含む。
【００２９】
また、ホールコンピュータＢから遊技データテーブルＴＢ（Ｂ）に対応したＣＳＶ形式の遊技データＤＴ１（Ｂ）を受信するデータ抽出装置４（Ｂ）は、ホールコンピュータＢの異なる型式に応じて、ＣＳＶ形式の遊技データＤＴ１（Ｂ）から抽出するべきフィールドを予め設定されているので、不必要な項目のデータをマージし、表示するために必要な項目のデータのみを抽出することにより、整形済ＣＳＶ形式の整形遊技データＤＴ２（Ｂ）を作成する（図３（Ａ），（Ｂ）参照）。
【００３０】
図３（Ｂ）は、この結果作成された整形済ＣＳＶ形式の整形遊技データＤＴ２（Ｂ）を便宜上テーブル形式で示している。しかし、実際の整形済ＣＳＶ形式の整形遊技データＤＴ２（Ｂ）はカンマ区切りのテキストデータの形態である。この整形遊技データＤＴ２（Ｂ）は、具体的には、台番号、種別（パチンコ機／スロット機）、総打込数玉数、総出玉数玉数、総スタート１回数、総大当り回数、総小当り回数、通常モード打込数玉数、通常モード大当り回数、確変モード大当り回数、及び機種コードの１１項目を含む。
【００３１】
代表として例示した分散配置のデータ抽出装置４（Ａ），４（Ｂ）は、対応のホールコンピュータＡ，Ｂから受信したＣＳＶ形式の遊技データＤＴ１（Ａ），ＤＴ１（Ｂ）に対する上述したデータ抽出処理機能により作成した整形済ＣＳＶ形式の整形遊技データＤＴ２（Ａ），ＤＴ２（Ｂ）を遊技関連情報処理装置３に随時に自主的に送信する。
【００３２】
上述したデータ抽出装置４は、ハードウェア構成として、次の要素を含んでいる。つまり、プロセッサとしてのＣＰＵ（Central Processing Unit）と、作業用メモリとしての
ＲＡＭ（Random Access Memory）と、立ち上げのためのブートプログラムを格納したＲＯＭ（Read Only Memory）とを備える。
【００３３】
また、データ抽出装置４は、ＯＳ（Operating System）、アプリケーションプログラム、及び各種情報（データを含む）を書換え可能に格納する不揮発性のフラッシュメモリとしてのディスクと、通信制御部と、通信インタフェースとしてのＮＩＣ（Network Interface Card）などとを備える。これらのハードウェア構成は、当業者が容易に理解でき、実施可能であるので、ここではこの構成の図示を省略している。
【００３４】
上述したデータ抽出処理機能を論理的に実現するには、フラッシュメモリにデータ抽出処理プログラムをアプリケーションプログラムとしてインストールしておく。そして、データ抽出装置４においては、電源投入を契機に、ＣＰＵがこのデータ抽出処理プログラムをＲＡＭに常時展開して実行する。
【００３５】
［遊技関連情報処理装置］
次に、図１に示す遊技関連情報処理システム１における遊技関連情報処理装置３及び遊技関連情報処理について詳述する。
【００３６】
遊技関連情報処理システム１における遊技関連情報処理装置３は、複数の遊技場ＰＬ内の各データ集計コンピュータ６に蓄積され、項目名及び項目配列順序などにおいて他と異なるとともに遊技機台番号、機種名特定情報及び遊技結果情報を含む遊技データＤＴ１に基づいて、予め定められた必要項目名のデータを抽出することにより作成された整形済ＣＳＶ形式の整形遊技データＤＴ２を各遊技場ＰＬ内に分散配置の複数のデータ抽出装置４のそれぞれから随時に受信する。
【００３７】
遊技関連情報処理装置３においては、複数のデータ抽出装置４のそれぞれから受信した整形遊技データＤＴ２と予め定めた集計定義とに基づいて遊技場ＰＬ毎に集計処理を行い、集計処理された遊技機台番号、機種名特定情報及び遊技結果情報を含む集計結果の遊技データを共通フォーマットの遊技データテーブル２１に格納する。
【００３８】
また、遊技関連情報処理装置３においては、集中管理下の複数の遊技場ＰＬに設置された複数の遊技機ＰＭに関する遊技機データであって、機種名特定情報及び遊技機の機種名（実際の機種名）などを含む遊技機データを予め格納した遊技機データテーブル２２を構成する。
【００３９】
さらに、遊技関連情報処理装置３においては、契約ユーザ（遊技者を含む閲覧者）が閲覧者利用端末ＶＷのインターネットブラウザによって遊技関連情報を閲覧するとき、閲覧要求により指定された遊技場ＰＬ毎の遊技データテーブル２１における遊技機台番号と遊技機データテーブル２２における遊技機の機種名とを遊技データテーブル２１及び遊技機データテーブル２２における機種名特定情報を介して対応付け、対応付けた遊技場ＰＬ毎の遊技機台番号及び遊技機の機種名に遊技データテーブル２１における集計結果の遊技データとしての遊技結果情報を更に対応付けた遊技関連情報を得て、表示サイトを介して閲覧者利用端末ＶＷに公開するように制御する。
【００４０】
ここでは、遊技関連情報処理装置３は、複数の遊技場ＰＬ内に分散配置されたデータ抽出装置４から受信した整形遊技データＤＴ２に基づいて集計処理などを行うとともに、自己が提供するサイト（ウェブ（ＷＥＢ）ページ）を介して、閲覧者利用端末ＶＷに遊技関連情報を公開処理する単独のサイト管理サーバである。しかし、これらの処理の負荷・機能分散を図るときは、遊技関連情報を公開処理するための個別のサイト管理サーバをウェブサーバとして設ける代替構成を採ってもよい。
【００４１】
図１、図４及び図５を併せ参照して一層詳述すると、遊技関連情報処理装置３は、各遊技場ＰＬ内に分散配置されたデータ抽出装置４において作成された整形済ＣＳＶ形式の整形遊技データＤＴ２を受信した後、受信した（厳密には、受信バッフアに蓄積している）整形遊技データＤＴ２の各項目（各ＣＳＶ項目）及び対応データなどに基づいて集計処理を行い、集計結果の遊技データをデータベース２における共通フォーマットの遊技データテーブル２１に格納する。この一連の処理は予め定められた時間間隔（例えば、５分〜１５分間隔）で繰り返される（図５中の処理Ｓ１１，Ｓ１２，Ｓ１３）。
【００４２】
共通フォーマットの遊技データテーブル２１のヘッダ行には、ウェブページに表示する項目に適合するように、遊技機台番号、機種名特定情報及び遊技結果情報を含む遊技データの項目が遊技場特定情報の項目などとともに設定されている。
【００４３】
遊技関連情報処理装置３は、受信した整形済ＣＳＶ形式の整形遊技データＤＴ２における単一または複数のＣＳＶ項目を使用し、予め作成された自動処理用バッチファイルを実行することにより、集計処理を行う（図５中の処理Ｓ１２）。
【００４４】
自動処理用バッチファイルは、遊技関連情報処理装置３の管理者が管理画面において各データ集計コンピュータ６の型式に応じた各項目について集計処理内容を定義した、集計定義内容に基づいて予め作成され、変更に応じて更新される。
【００４５】
例えば、受信した整形遊技データＤＴ２が上記データ抽出装置４（Ｂ）からの整形済ＣＳＶ形式の整形遊技データＤＴ２（Ｂ）であるとき、図４（Ａ）に示すように、台番号、種別（パチンコ機／スロット機）、総打込数玉数、総出玉数玉数、総スタート１回数、総大当り回数、総小当り回数、通常モード打込数玉数、通常モード大当り回数、確変モード
大当り回数、及び機種コードのＣＳＶ項目が含まれている。
【００４６】
遊技関連情報処理装置３は、受信した整形遊技データＤＴ２（Ｂ）の送信元がデータ抽出装置４（Ｂ）であることを、例えば、内蔵のＮＩＣの受信ポート番号に基づいて認識できるので、遊技場ＰＬ及びデータ集計コンピュータ６の型式を理解する。
【００４７】
そして、遊技関連情報処理装置３は、自動処理用バッチファイルを実行することにより、図４（Ｂ）に示すように、項目名（具体的には、主キー、ホールＩＤ、台番号、ゲームコード、機種コード、・・・パチンコ大当り確率、・・・）がヘッダ行に設定されている共通フォーマットの遊技データテーブル２１における対応項目のフィールド及びホールＩＤ対応のレコードに集計結果の遊技データを格納する。
【００４８】
この結果、例えば、遊技データテーブル２１における「台番号」の項目には、整形遊技データＤＴ２（Ｂ）における「台番号」のＣＳＶ項目のデータが格納される。遊技データテーブル２１における「ゲームコード」の項目には、整形遊技データＤＴ２（Ｂ）における「種別（パチンコ機／スロット機）」のＣＳＶ項目のデータが格納される。
【００４９】
また、遊技データテーブル２１における「機種コード」の項目には、整形遊技データＤＴ２（Ｂ）における「機種コード」のＣＳＶ項目のデータが格納される。なお、遊技データテーブル２１における「ホールＩＤ」の項目は、遊技場ＰＬ及びデータ集計コンピュータ（ホールコンピュータ）６を特定するためのデータ（遊技場特定情報）であり、上述した送信元のデータ抽出装置４（Ｂ）の認識結果に基づいて該当データが格納される。
【００５０】
さらに、遊技データテーブル２１における「パチンコ大当り確率」の項目には、整形遊技データＤＴ２（Ｂ）における「総スタート１回数」及び「総大当り回数」のＣＳＶ項目のデータに基づいて計算された計算値（＝総大当り回数÷総スタート１回数）が格納される。
【００５１】
大当り確率は、全ての大当り項目の回数を加算し、スタート回数で除算することにより算出できる。したがって、受信した整形遊技データＤＴ２がデータ抽出装置４（Ａ）からの整形済ＣＳＶ形式の整形遊技データＤＴ２（Ａ）であるときは、集計定義内容の定義式は、［（大当りＡ＋大当りＢ＋大当りＣ）÷スタート回数］である。
【００５２】
図１、図６及び図７を併せ参照して一層詳述すると、遊技関連情報処理装置３は、データベース２に遊技機データテーブル２２を更に備えている。この遊技機データテーブル２２は、遊技関連情報処理装置３が一括して集中管理する実際に複数の遊技場ＰＬに設置された遊技機ＰＭに関する情報を網羅した遊技機データのマスタである。
【００５３】
この遊技機データテーブル２２は、図６に例示するように、種別（パチンコ機／スロット機）、遊技機名称（実際の機種名）、遊技機のメーカ名、画像データ、各種性能及び演出データ、及び機種コードＡ，Ｂなどの遊技機データを格納している。
【００５４】
ここで、機種コードＡ，Ｂ・・・などは各遊技場ＰＬに対応している。これらの遊技機データは、遊技関連情報処理装置３の管理者が例えば、管理端末を通して複数の遊技場ＰＬの各データ集計コンピュータ６のサイトなどから予め取得し、互いに対応付けて予め登録したデータである。
【００５５】
これにより、遊技関連情報処理装置３においては、集中管理下の複数の遊技場ＰＬに設置された複数の遊技機ＰＭに関し、遊技機名称（実際の機種名）、更に機種名特定情報としての機種コードを含む遊技機データを予め格納した遊技機データテーブル２２を不揮発
性のフラッシュメモリ上に構成する。
【００５６】
そして、遊技関連情報処理装置３においては、後に詳述するように、契約ユーザが閲覧者利用端末ＶＷのインターネットブラウザによって遊技関連情報を閲覧するとき、閲覧要求により指定された遊技場ＰＬ毎の遊技データテーブル２１における遊技機台番号と遊技機データテーブル２２における遊技機の機種名とを遊技データテーブル２１及び遊技機データテーブル２２における機種コードを介して自動的に対応付けることができる（図７（Ａ）参照）。
【００５７】
また、遊技関連情報処理装置３においては、後に詳述するように、対応付けた遊技場ＰＬ毎の遊技機台番号及び遊技機の機種名に遊技データテーブル２１における集計結果の遊技データとしての遊技結果情報を更に対応付けた遊技関連情報を表示サイトを介して閲覧者利用端末ＶＷに公開する。
【００５８】
なお、図７（Ａ）を参照して説明した機種コードを介した自動対応付けができないときには、遊技関連情報処理装置３の管理者は、図７（Ｂ）に示すように、自己サイト管理サーバが提供するウェブページまたは契約者のみが閲覧できる個別のサイト管理サーバが提供するウェブページの管理画面において、遊技場ＰＬ毎に、対象の遊技機台番号に遊技機の機種名を手動で対応付ける。そして、遊技関連情報処理装置３においては、この手動対応付けの結果をフラッシュメモリの特定領域に保持しておくことにより、同様に遊技関連情報を表示サイトを介して閲覧者利用端末ＶＷに公開することが可能である。
【００５９】
図１、図８、図９及び図１０を併せ参照して一層詳述すると、遊技関連情報処理装置３は、閲覧要求に応じて、遊技関連情報を閲覧者利用端末ＶＷのインターネットブラウザによって表示可能とする。
【００６０】
遊技関連情報処理装置３は、図８に示すウェブページ＃０では、閲覧要求により指定された遊技場（ホール）ＰＬ及び遊技機ＰＭについての遊技機名称（機種名）、遊技機画像、及び遊技機性能（スペック）に関する項目の情報（データ）を遊技機データテーブル２２から抽出して表示（公開）する。
【００６１】
また、遊技関連情報処理装置３は、図９に示すウェブページ＃１では、ウェブページ＃０においてボタン「この機種の全データを一覧で見る」が指定されたとき、指定された遊技場ＰＬ及び遊技機ＰＭに対応付いた複数の遊技機台番号ついての遊技データ（遊技結果情報）の一覧をスクロール可能に表示する。このために、遊技データテーブル２１（図４（Ｂ）参照）からは、下記項目のデータが抽出され、テーブル状に表示される。
【００６２】
ウェブページ＃１において表示される遊技データ（パチンコ機の場合）。
項目名［累計スタート］：累計スタート数（累計図柄確定回数）
項目名［総大当り］：遊技機の全ての大当り当選回数
項目名［初当り回数］：遊技機の通常確率状態の大当り当選回数
項目名［確変回数］：遊技機の確率変動状態（一般的に低確率状態）の大当り当選回数
項目名［過去最高大当回数］：遊技機が台番号に割当てられてから最大過去７日間の１日最大大当り当選回数
項目名［大当り確率］：遊技機の全ての大当りの確率
項目名［初当り確率］：遊技機の通常確率状態での大当りの確率
項目名［最大持玉］：閲覧中の日付の遊技データで一連の大当り中の賞球数が最も多かった際の数値
ウェブページ＃１において表示される遊技データ（スロット機（回胴式遊技機）の場合）。
項目名［ＢＢ回数］：一般的にビッグボーナスと呼ばれる大当りの当選回数
項目名［ＲＢ回数］：一般的にレギュラーボーナスと呼ばれる大当りの当選回数
項目名［ＡＲＴ回数］：一般的にＡＲＴと呼ばれる状態の当選回数
項目名［現在スタート］：遊技データの直近更新時の遊技回数
項目名［最大持玉］遊技データで一連の大当り中の賞球数が最も多かった際の数値
項目名［累計スタート回数］：累計遊技回数
項目名［ＢＢ確率］：ビッグボーナスの当選確率
項目名［ＲＢ確率］：レギュラーボーナスの当選確率
項目名［ＡＲＴ確率］：ＡＲＴ当選確率
項目名［合成確率］：ＢＢとＲＢとＡＲＴとの全ての確率
項目名［過去最大大当回数］：遊技機が台番号に割当てられてから最大過去７日間の１日最大大当り当選回数
さらに、遊技関連情報処理装置３は、図１０に示すウェブページ＃２では、ウェブページ＃１において台番号のいずれかが指定されたとき、指定された遊技機ＰＭに対応付いた個別の台番号についての遊技データ（遊技結果情報）を表示する。このために、遊技データテーブル２１（図４（Ｂ）参照）からは、下記項目のデータが抽出され、該当の表示欄に表示される。なお、ここでは、パチンコ機の場合の遊技データについて例示するが、スロット機の場合は、上述したウェブページ＃１において表示される遊技データが対象になる。
【００６３】
ウェブページ＃２において遊技データ表示Ａに表示される遊技データ。
項目名［大当り］：遊技機の全ての大当り当選回数
項目名［確変］：遊技機の確率変動状態（一般的に低確率状態）の大当り当選回数
項目名［スタート］：遊技データの直近更新時の遊技回数
項目名［大当り確率］：閲覧中台番号の遊技機の全ての大当りの確率
項目名［最大持玉］：閲覧中の日付の遊技データで一連の大当り中の賞球数が最も多かった際の数値
項目名［累計スタート］：累計スタート数（累計図柄確定回数）
ウェブページ＃２において遊技データ表示Ｂに表示される遊技データ。遊技データ表示Ｂでは、時系列での大当りの履歴情報をテーブル形式で表示する。
表示項目［大当り］：大当りの通し番号もしくは区別番号
表示項目［スタート］：前回の大当りから当該の大当りに当選するまで何回スタートがあったかを示す。
表示項目［出玉］：当選した大当り中の払い出し遊技玉数
表示項目［確／通常］：大当り当選時の状態（低確率状態での大当り＝確変、通常確率状態での大当り＝通常）
表示項目［時間］：大当りの当選時間
ウェブページ＃２において遊技データ表示Ｃに表示される遊技データ。
表示項目［最大継続数］：確変状態から当選した大当りが何回連続したかを示す。
表示項目［１セット最大出玉］：前項目の連続当選中の払い出された遊技玉の数
ウェブページ＃２において遊技データ表示Ｄに表示される遊技データ。遊技データテーブル２１へ格納する集計処理毎に、差玉数値を利用して折れ線グラフが描写される。過去最大７日間までのデータが表示される。
【００６４】
ウェブページ＃２において遊技データ表示Ｅに表示される遊技データ。次の遊技データが過去最大７日間分表示される。遊技データ表示Ａの項目名［大当り］、［確変］、［スタート］、［大当り確率］、［最大持玉］、［累計スタート］。
【００６５】
ウェブページ＃２において遊技データ表示Ｆに表示される遊技データ。遊技データ表示Ｄにおける折れ線グラフが直近から過去最大７日間分連続で描写される。
【００６６】
上述した遊技関連情報処理装置３は、サーバコンピュータであり、ハードウェア構成として、次の要素を含んでいる。つまり、プロセッサとしてのＣＰＵと、作業用メモリとしてのＲＡＭと、立ち上げのためのブートプログラムを格納したＲＯＭとを備える。
【００６７】
また、遊技関連情報処理装置３は、ＯＳ、アプリケーションプログラム、及び各種情報（データを含む）を書換え可能に格納する不揮発性のフラッシュメモリとしてのディスクを備える。
【００６８】
さらに、遊技関連情報処理装置３は、通信制御部と、表示制御部と、通信インタフェースとしてのＮＩＣなどとを備える。これらのハードウェア構成は、当業者が容易に理解でき、実施可能であるので、ここではこの構成の図示を省略している。
【００６９】
上述した遊技関連情報処理機能を論理的に実現するには、フラッシュメモリに遊技関連情報処理プログラムをアプリケーションプログラムとしてインストールしておく。そして、遊技関連情報処理装置３においては、電源投入を契機に、ＣＰＵがこの遊技関連情報処理プログラムをＲＡＭに常時展開して実行する。遊技データテーブル２１及び遊技機データテーブル２２はフラッシュメモリに構成可能である。
【００７０】
［第１の実施の形態における効果］
上述した第１の実施の形態の遊技関連情報処理システム１においては、遊技関連情報処理装置３は、自己が提供する表示サイトまたは個別の情報処理装置が提供する表示サイトを介して閲覧者利用端末ＶＷに遊技関連情報を公開することができる。
【００７１】
［第２の実施の形態］
第２の実施の形態においては、不明確にならない限り、上述した第１の実施の形態との同一構成要素及び同一処理については、詳細説明を省略する。
【００７２】
［遊技関連情報処理システム］
第２の実施の形態におけるシステム構成を示す図１１を参照すると、遊技関連情報処理システム１Ａは、データベース２として遊技データテーブル２１及び遊技機データテーブル２２を含む遊技関連情報処理装置３と、複数の遊技場ＰＬ内に分散配置された複数のデータ抽出装置４と、データベースとして遊技データテーブル７１を含むＡＰＩ（Application Programming Interface）サーバ７と、データベースとして遊技機データテーブル９
２を含むサービスサーバ９とを備える。ここでは、簡潔化のために、遊技場ＰＬは１つだけを図示し、遊技場ＰＬ内に設置されている複数の遊技機ＰＭは図示を省略している。
【００７３】
遊技関連情報処理装置３は、図示省略の通信ネットワーク５を通して、複数のデータ抽出装置４、ＡＰＩサーバ７及びサービスサーバ９に接続されている。ＡＰＩサーバ７は、通信ネットワーク５を通して、サービスサーバ９に接続されている。サービスサーバ９は、通信ネットワーク５を通して、閲覧者利用端末ＶＷが利用する運用者の運用システム１０に接続される。なお、以下の説明では、不明確にならない限り通信ネットワーク５の介在を省略する。
【００７４】
この遊技関連情報処理システム１Ａにおいては、遊技関連情報処理装置３、ＡＰＩサーバ７及びサービスサーバ９が連携動作し、サービスサーバ９から提供する表示サイト（ウェブページ）を介して、契約ユーザ（遊技者を含む閲覧者）が利用する閲覧者利用端末ＶＷに遊技関連情報を公開する。運用者の運用システム１０は、サービスサーバ９と連携し、サービスサーバ９から提供されるウェブページを自己から提供しているように擬制して閲覧者利用端末ＶＷに閲覧可能にする。
【００７５】
ここでは、複数の遊技場ＰＬ内に分散配置されたデータ抽出装置４から受信した整形遊技データＤＴ２に基づいて集計処理などを行う遊技関連情報処理装置３と、サービスサーバ９からのＡＰＩリクエストに対し、ＡＰＩサービスとして遊技データをサービスサーバ９に送信するＡＰＩリクエスト処理を行うＡＰＩサーバ７と、ウェブページを提供するサービスサーバ９とは、これらの処理の負荷・機能分散を図ること、機能停止リスクの軽減を図ること、更に実行環境の最適化を図ることなどを重要視して個別の配置構成を採る。
【００７６】
上述したＡＰＩサーバ７及びサービスサーバ９は、サーバコンピュータであり、ハードウェア構成として、次の要素を含んでいる。つまり、プロセッサとしてのＣＰＵと、作業用メモリとしてのＲＡＭと、立ち上げのためのブートプログラムを格納したＲＯＭとを備える。
【００７７】
また、ＡＰＩサーバ７及びサービスサーバ９は、ＯＳ、アプリケーションプログラム、及び各種情報（データを含む）を書換え可能に格納する不揮発性のフラッシュメモリとしてのディスクを備える。
【００７８】
さらに、ＡＰＩサーバ７及びサービスサーバ９は、通信制御部と、表示制御部と、通信インタフェースとしてのＮＩＣなどとを備える。これらのハードウェア構成は、当業者が容易に理解でき、実施可能であるので、ここではこの構成の図示を省略している。
【００７９】
後に詳述する遊技関連情報処理機能を論理的に実現するには、フラッシュメモリに遊技関連情報処理プログラムをアプリケーションプログラムとしてインストールしておく。そして、ＡＰＩサーバ７及びサービスサーバ９においては、電源投入を契機に、ＣＰＵがこの遊技関連情報処理プログラムをＲＡＭに常時展開して実行する。遊技データテーブル７１及び遊技機データテーブル９２は対応のフラッシュメモリに構成可能である。
【００８０】
［遊技関連情報処理］
図１１、図１２及び図１３を併せ参照すると、この遊技関連情報処理システム１Ａにおいては、集計サーバである遊技関連情報処理装置３は、上述した第１の実施の形態と同様に、複数の遊技場ＰＬ内の各データ集計コンピュータ６に蓄積され、項目名及び項目配列順序などにおいて他と異なるとともに遊技機台番号、機種名特定情報及び遊技結果情報を含む遊技データＤＴ１に基づいて、予め定められた必要項目名のデータを抽出することにより作成された整形済ＣＳＶ形式の整形遊技データＤＴ２を各遊技場ＰＬ内に分散配置の複数のデータ抽出装置４のそれぞれから随時に受信する（図２、図３参照）。
【００８１】
遊技関連情報処理装置３においては、複数のデータ抽出装置４のそれぞれから受信した整形遊技データＤＴ２と予め定めた集計定義とに基づいて遊技場ＰＬ毎に集計処理を行い、集計処理された遊技機台番号、機種名特定情報（機種コード）及び遊技結果情報を含む集計結果の遊技データを共通フォーマットの遊技データテーブル２１に格納する（図４、図５参照）。
【００８２】
また、遊技関連情報処理装置３においては、集中管理下の複数の遊技場ＰＬに設置された複数の遊技機ＰＭに関する遊技機データであって、機種名特定情報（機種コード）及び遊技機の機種名（実際の機種名）などを含む遊技機データを予め格納した遊技機データテーブル２２を構成する（図６参照）。
【００８３】
集計サーバである遊技関連情報処理装置３と連携動作するＡＰＩサーバ７は、遊技関連情報処理装置３における遊技データテーブル２１に格納されている集計結果の遊技データを予め定められた時間（例えば、１時間）間隔で受信し、内蔵の遊技データテーブル（プ
ロキシ遊技データテーブルと記載することもある）７１に格納するとともに、格納状態の遊技データとのデータ同期処理を行う（図１３中のＳ２１）。
【００８４】
また、遊技関連情報処理装置３と連携動作するサービスサーバ９は、遊技関連情報処理装置３における遊技機データテーブル２２に格納されている機種名特定情報及び遊技機の機種名（実際の機種名）などを含む遊技機データを予め定められた時間（例えば、１時間）間隔で受信し、内蔵の遊技機データテーブル（プロキシ遊技機データテーブルと記載することもある）９２に格納するとともに、格納状態の遊技機データとのデータ同期処理を行う（図１３中のＳ２２）。
【００８５】
閲覧者利用端末ＶＷが、サービスサーバ９によって提供される所定のウェブページＡを運用システム１０を通して表示すると、サービスサーバ９は、このウェブページＡに予め埋め込まれているリクエストパラメータに基づいて、ＡＰＩサーバ７にデータリクエスト（ＡＰＩリクエスト）を行う（図１３中のＳ２３）。ここで、ウェブページＡに予め埋め込まれているリクエストパラメータは、ＡＰＩサーバ７の遊技データテーブル７１から遊技場毎の遊技データを引き出すためのパラメータであり、例えば、ｐｈｐ（Hypertext Preprocessor）言語で記述される。
【００８６】
ＡＰＩサーバ７は、サービスサーバ９からのＡＰＩリクエストに対し、ＡＰＩサービスとして遊技データテーブル７１から遊技場毎の集計結果の遊技データを読み出し、読み出した集計結果の遊技データを例えば、ＸＭＬ（Extensible Markup Language）ファイルでサービスサーバ９に送信する（図１３中のＳ２４）。なお、ＸＭＬファイルは、ＨＴＴＰ（Hyper Text Transfer Protocol）などの所定プロトコルに則って送受信されるウェブ対応の他の記述言語ファイルで代替することが可能である。
【００８７】
サービスサーバ９は、受信したＸＭＬファイルを利用することにより、契約ユーザが閲覧者利用端末ＶＷのインターネットブラウザによって遊技関連情報を閲覧するとき、
受信した遊技場ＰＬ毎の集計結果の遊技データにおける遊技機台番号と閲覧要求により指定されたプロキシ遊技機データテーブル９２における遊技機の機種名とを受信した遊技場ＰＬ毎の集計結果の遊技データ及びプロキシ遊技機データテーブル９２における機種名特定情報を介して対応付ける（図１３中のＳ２５）。
【００８８】
そして、サービスサーバ９は、対応付けた遊技場ＰＬ毎の遊技機台番号及び遊技機の機種名に受信した遊技場ＰＬ毎の集計結果の遊技データにおける遊技結果情報を更に対応付けた遊技関連情報をウェブページ（図９、図１０参照）により閲覧者利用端末ＶＷに公開するように制御する。
【００８９】
これにより、閲覧者利用端末ＶＷは、運用システム１０を介して、サービスサーバ９がウェブページ内に定義した表示形態で閲覧要求に応じた遊技関連情報を閲覧することができる（図１３中のＳ２６）。
【００９０】
ハイパーリンク（ＵＲＬ（Uniform Resource Locator））が所定のウェブページＡに埋め込まれている場合、閲覧者利用端末ＶＷは、運用システム１０を介して、ハイパーリンクを選択することにより、所望のウェブページ（図８、図９、図１０参照）ヘアクセスすることが可能である。
【００９１】
［第２の実施の形態における効果］
上述した第２の実施の形態の遊技関連情報処理システム１Ａにおいては、遊技関連情報処理装置３、ＡＰＩサーバ７及びサービスサーバ９が連携動作し、サービスサーバ９から提供するウェブページを介して、閲覧者利用端末ＶＷに遊技関連情報を公開する。運用者
の運用システム１０は、サービスサーバ９と連携し、サービスサーバ９から提供されるウェブページを自己から提供しているように擬制して閲覧者利用端末ＶＷに閲覧可能にする。これにより、運用者は、膨大な開発費及び時間を浪費することなく、運用システム１０にこの遊技関連情報公開サービスを組み込んで運用することが可能になる。
【００９２】
［その他の変形例］
上述した各実施の形態における処理はコンピュータで実行可能なプログラムとして提供され、ＣＤ−ＲＯＭやフレキシブルディスクなどの非一時的コンピュータ可読記録媒体、さらには通信回線を経て提供可能である。
【００９３】
また、上述した各実施の形態における各処理はその任意の複数または全てを選択し組合せて実施することもできる。
【符号の説明】
【００９４】
１    遊技関連情報処理システム
２    データベース
３    遊技関連情報処理装置
４    データ抽出装置
５    通信ネットワーク
６    データ集計コンピュータ
２１  遊技データテーブル
２２  遊技機データテーブル
ＰＬ  遊技場
ＰＭ  遊技機
ＶＷ  閲覧者利用端末
【図１】
2015119840.tif 000003
【図２】
2015119840.tif 000004
【図３】
2015119840.tif 000005
【図４】
2015119840.tif 000006
【図５】
2015119840.tif 000007
【図６】
2015119840.tif 000008
【図７】
2015119840.tif 000009
【図８】
2015119840.tif 000010
【図９】
2015119840.tif 000011
【図１０】
2015119840.tif 000012
【図１１】
2015119840.tif 000013
【図１２】
2015119840.tif 000014
【図１３】
2015119840.tif 000015